Podtech/llm-jp-corpus-v4-ja_patent huggingface dataset:
(57)【要約】【課題】  個人情報を消去するために使用されているスタンプは手間がかかり、使っているうちに薄くなってしまった。また、シュレッダーや裁断バサミで細かく裁断するか、かさの増したゴミになってしまい、処分のための費用と環境への負担がかかってしまうので、このインク消しを提供する。【解決手段】  液体糊に墨汁を配合したものを消したい部分に塗布することにより文字を塗りつぶし、さらにもう一枚の用紙と貼り合わせることにより、１度に２枚分の文字を読めないようにすることができるインク消し。【選択図】図１
2011148282.tif 000002
【特許請求の範囲】
【請求項１】
液体糊と墨汁を配合した墨汁入り糊を塗布することにより文字を塗りつぶす事ができるインク消し。
【発明の詳細な説明】
【技術分野】
【０００１】  この発明は、個人情報、文字、文章、絵などの情報を判読不能にするためのインク消しに関するものである。
【背景技術】
【０００２】従来の個人情報を他人に見えなくするための方法は、小型シュレッダー、プライバシー保護パンチ、ハサミ型シュレッダー、スタンプ式のものなどである。
また、ペン型の油性インキで、文字を消すものもあった（特許文献１参照）。
【先行技術文献】
【０００３】
【特許文献１】  特開  ２００９−７３０６７号公報
【発明の概要】
【発明が解決しようとする課題】
【０００４】  そのため、次のような問題点があった。
（イ）従来のスタンプ式のものやペン型のものは、消したい情報が多いときや、範囲が大きいときには、多くのインクを消耗し、手間がかかる。
（ロ）また、見えなくするには不十分で、使っているうちに薄くなり、効果が落ちてしまう。
（ハ）さらに、小型シュレッダー、プライバシー保護パンチ、ハサミ型シュレッダーで細かく裁断すると、かさの増したゴミになってしまうため、処分のために余分の負担がかかることになる。
（ニ）また、シュレッダーに関しては、過去に子どもが指を入れて怪我をするといった事故が複数報告されている。
（ホ）従来の小型シュレッダー、プライバシー保護パンチ、ハサミ型シュレッダーは保管場所が必要とされ使用方法も簡単ではない。
そこで、本発明は、スピーディーかつ完全に、手軽で安全、さらにゴミにしないで情報を判読不能にすることを課題とする。
【課題を解決するための手段】
【０００５】  以上の課題を解決するために、第一の実施例は、図１に示すように市販の液体糊と同様の容器にすることによって、上記の従来品よりも保管場所もとらず、使用方法も簡単なので、子どもやお年寄りでも安心して使うことができる。
また、第二の実施例は、液体糊に墨汁（液）を４０：１から４０：５の割合で配合することによって、情報に塗っただけで文字を読みにくくし、すかしても見えなくできる。
さらに容器を軽く握りながら、塗るだけなので情報量が多くても、またサイズが大きくても手軽に消すことができる。
第三発明は、液体糊が主成分なので、もう１枚の用紙を貼り合わせることができ（るため、墨により消された文字同士がさらに重なり合わさるので完全に判読不能となり、）一度に二枚分の文書を簡単に読めなくすることができる。
【発明の効果】
【０００６】  第一の実施例によれば、従来の液体糊の形状なので、保管場所もとらず、小さな子どもからお年寄りまで簡単にまた安全に使用できる。
また第二、第三の実施例により、液体糊と墨汁を配合することにより、塗りつぶした文字を読めなくするだけでなく、もうい１枚の用紙を張り合わせることにより、一度に２枚分の文書を完全に読めないようにできる。
【図面の簡単な説明】
【０００７】
【図１】  本発明の一実施形態を示した斜視図である。
【図２】  本発明の使用方法を示した斜視図である。
【図３】  本発明の最終的な使用状況を示した斜視図である。
【発明を実施するための形態】
【０００８】  以下、本発明の実施形態を、図１に示す。
本発明は、従来の液体糊と同様の樹脂性の容器に入れられ、この本体の上部のキャップを回して外すとスポンジ状になっている。
図２に示しているように容器を下向きにして紙面上に墨汁（液）入り糊を塗布することによって使用する。
図３に示すように、二枚の用紙を貼り合わせることにより、それぞれの消したい情報を一度に読めなくすることが可能になる。
【実施例】
【０００９】  この実施形態によれば、消したい情報を含む文書を二枚貼り合わせることにより、容量を小さくしながらも使用済みの用紙として紙のリサイクルに回すことができるため、処分費用を抑えるだけでなく、ゴミを減らし、地球の環境への負担も抑えることができる。
【符号の説明】
【００１０】１  本体
２  キャップ
３  スポンジ  （塗布部）
４  消したい情報を含む用紙
【図１】
2011148282.tif 000003
【図２】
2011148282.tif 000004
【図３】
2011148282.tif 000005
(57)【要約】【課題】  光半導体装置表面に、所望の構造のレンズを安定的に形成することができる製造方法を提供する。【解決手段】  光透過性樹脂により封止されている光半導体装置の表面に、切削加工により、連続する凹状部で囲まれた中央に凸形状の台座部を形成し、この台座部上にＵＶ硬化樹脂を塗布し、ＵＶ光を照射して硬化させることにより、レンズを形成する。【選択図】  図１
2011112977.tif 000002
【特許請求の範囲】
【請求項１】
表面にレンズ構造を備えた光半導体装置の製造方法において、光透過性樹脂により封止されている前記光半導体装置の表面に、前記光透過性樹脂を切削加工することより、連続する凹状部で囲まれた中央に凸形状の台座部を形成し、該台座部上に光透過性のレンズ形成用樹脂を塗布し、その後前記レンズ形成用樹脂を硬化することを特徴とする光半導体装置の製造方法。
【請求項２】
請求項１記載の光半導体装置の製造方法において、前記台座部上にＵＶ硬化樹脂を塗布し、ＵＶ光を照射することにより硬化することを特徴とする光半導体装置の製造方法。
【発明の詳細な説明】
【技術分野】
【０００１】
本発明は、表面にレンズ構造を備えた光半導体装置の製造方法に関し、特に光透過性樹脂により封止されている光半導体装置の表面に、直接レンズ構造を形成する製造方法に関する。
【背景技術】
【０００２】
従来、リモコン等に用いられる光半導体装置は、その表面にレンズ構造を備えている。このレンズ構造を形成する製造方法として、内部に搭載している光半導体素子を樹脂封止する際、一体成型する方法や（特許文献１参照）、樹脂封止工程とは別に、金型を用い、あるいはポッティング法等で形成されたレンズを、光半導体装置表面にはりつける方法（特許文献２参照）、光半導体装置表面にポッティング法等により直接形成される方法（特許文献３参照）などが提案されている。
【先行技術文献】
【特許文献】
【０００３】
【特許文献１】特開平７−１４０３２４号公報
【特許文献２】特開２００３−８０６５号公報
【特許文献３】特開２００７−１０９９１１号公報
【発明の概要】
【発明が解決しようとする課題】
【０００４】
しかしながら、上記の金型を用いてレンズを形成する方法では、高精度のＲ形状を多数持つ金型が必要なため、コストが高くなってしまう。また、レンズの寸法変更に迅速に対応できないという問題点があった。また、光半導体装置表面に、別に形成したレンズをはりつける方法では、光半導体装置内に搭載している光半導体装置との光軸ずれが生じないように、高精度のレンズ搭載機が必要であった。さらにまた、光半導体装置表面にポッティング法等で直接レンズを形成する方法では、光半導体装置表面とレンズ形成用樹脂とのぬれ性や、レンズ形成用樹脂の粘度等を調整することでレンズの形状を制御する必要があり、所望のドーム形状に安定して形成できないといった問題点があった。
【０００５】
本発明は、上記問題点を解消し、光半導体装置表面に、所望の構造のレンズを安定的に形成することができる製造方法を提供することを目的とする。
【課題を解決するための手段】
【０００６】
上記目的を達成するため、本願請求項１に係る発明は、表面にレンズ構造を備えた光半導体装置の製造方法において、光透過性樹脂により封止されている前記光半導体装置の表面に、前記光透過性樹脂を切削加工することより、連続する凹状部で囲まれた中央に凸形状の台座部を形成し、該台座部上に光透過性のレンズ形成用樹脂を塗布し、その後前記レンズ形成用樹脂を硬化することを特徴とする。
【０００７】
本願請求項２に係る発明は、請求項１記載の光半導体装置の製造方法において、前記台座部上にＵＶ硬化樹脂を塗布し、ＵＶ光を照射することにより硬化することを特徴とする。
【発明の効果】
【０００８】
本発明によれば、封止樹脂を切削加工することで台座部を形成するため、レンズ径をバラツキ無く形成することができる。そして、台座部上にレンズ形成用樹脂を塗布する際、その塗布量を制御することで、所望の形状のレンズを形成することが可能となる。特にレンズ形成用樹脂としてＵＶ硬化樹脂を用いることにより、硬化に要する時間が短く、所望の形状のレンズを形成することができる。
【０００９】
また、光半導体装置表面に、直接レンズを形成するため、内部に搭載している光半導体装置との光軸ずれが発生することはない。
【図面の簡単な説明】
【００１０】
【図１】本発明の光半導体装置の製造方法を説明する図である。
【発明を実施するための形態】
【００１１】
本発明は、光半導体素子を搭載し、光透過性樹脂により封止されている光半導体装置表面に、直接、レンズ構造を形成する。以下、本発明の製造方法について、詳細に説明する。
【実施例】
【００１２】
図１は、本発明の実施例の説明図である。まず、光半導体素子（図示せず）が搭載され、光透過性樹脂により封止されている光半導体装置１を用意する。この光半導体装置は、単一の光半導体装置であっても良いし、集合基板上に複数の光半導体装置が形成されていても良い。次に、光半導体装置１表面のレンズ形成位置に切削工具２を移動させる（図１ａ）。
【００１３】
次に、切削工具２の刃先を光半導体装置１の表面に接触させた後、切削工具２を回転させ（図１ｂ）、円形の凹状部を形成する。その結果、凹状部３の中央に、凸形状の台座部３が形成される（図１ｃ）。光半導体装置１は、通常、エポキシ樹脂からなる光透過性樹脂により封止されているので、先端が先鋭な切削工具２を用いることにより、簡便に台座部３を形成することができる。
【００１４】
次に、ディスペンサ４を用いて、液状のＵＶ硬化樹脂５を台座部３上に塗布する（図１ｄ）。台座部３にはエッジ部が形成されているため、台座部３上に塗布したＵＶ硬化樹脂は、エッジ部で流動が止まり、表面張力によりドーム形状となり、安定したレンズ形状を形成することができる。また、ＵＶ硬化樹脂の塗布量を制御することで、所望のドーム形状を形成することができる（図１ｅ）。
【００１５】
ＵＶ硬化樹脂塗布後、速やかに、ＵＶ光を所定量照射し、硬化させることで、所望のレンズ形状を形成することができる（図１ｆ）。
【００１６】
レンズの寸法や形状を変更したい場合は、台座部の直径やＵＶ硬化樹脂の塗布量を変更することにより、簡便に所望の形状に変更することができる。
【００１７】
以上本発明について説明したが、本発明は上記実施例に限定されるものでないことはいうまでもない。例えば、切削工具２の形状は、台座部３の形成に適した構造に変更することができる。またレンズ形成用樹脂は、ＵＶ硬化樹脂に限らず、種々の光透過性樹脂を用いることができる。
【符号の説明】
【００１８】
１：光半導体装置、２：切削工具、３：台座部、４：ディスペンサ、５：ＵＶ硬化樹脂
【図１】
2011112977.tif 000003
(57)【要約】      （修正有）【課題】エコに関するエアコンの吹き出しから風圧がでる風で自動的にファンが回わり、室全体に気温が下がるプロペラファンを提供する。【解決手段】エアコンカバーには大小があり、又、近くに蛍光灯がある場合もあるので高さ、横にスライド式にする。高さ調整は吹き出しの４方向にコの字に引っかけてスライド調整する。横もおなじく吹き出し４方向にコの字に引っかけてスライド調整する。横４方向のまん中にプロペラファン５を取り付け、高さから伸びる方向ににスライドする。【選択図】図３
2011112355.tif 000002
【特許請求の範囲】
【請求項１】
工場及び事務所、飲食業、各テナントのエアコン空調機から出る風を電気を使用せずまんべんなく送るプロペラファンです
【発明の詳細な説明】
【技術分野】
【０００１】本発明は天井につけてあるエアコンカバーに取り付けるものである
【背景技術】
【０００２】飲食店に入って見ても、まだプロペラファン的なものはない
【発明の開示】
【発明が解決しようとする課題】
【０００３】今、エコに関する話題が出ている中でエアコン吹き出し口から風によって自動的に回わるので電気代がかからない
【課題を解決するための手段】
【０００４】プロペラファンは軽いプラスチックにするためカバーのふたんにならない
【発明の効果】
【０００５】各エアコンに付ければ全室温度がさがると思います
【発明を実施するための最良の形態】
【０００６】各、事務所、飲食業他テナントに関する所によって高さがちがう為、「図３」の「３」の様に工事用ヘルメットのうしろにある頭ちょうせいの様なスライド式にすれば、すべて高さが調整できる又、吹き出し口にコの字の引っかけで、スライドすればよい
【図面の簡単な説明】
【０００７】
【図１】▲１▼エアコン吹き出し口  ▲２▼プロペラファン  ▲３▼エアコン吹き出し口に爪をひっかけてファンをささえる
【図３】▲４▼横から見た吹き出し口の爪とスライドするファン
【図１】
2011112355.tif 000003
【図２】
2011112355.tif 000004
【図３】
2011112355.tif 000005
【手続補正書】
【提出日】平成22年3月2日(2010.3.2)
【手続補正１】
【補正対象書類名】明細書
【補正対象項目名】０００７
【補正方法】変更
【補正の内容】
【０００７】
【図１】▲１▼エアコン吹き出し口  ▲２▼プロペラファン  ▲３▼エアコン吹き出し口に爪をひっかけてファンをささえる
【図２】
2011112355.tif 000006
【図３】横から見た吹き出し口の爪とスライドするファン
(57)【要約】【課題】実質長期間に耐久できる、主軸、関連軸受け装置の転がり軸受けグリースの有用な効果のもたらすことを目的とする。【解決手段】転がり軸受けに外部からの汚水、汚泥等の侵入対応、高負荷による使用期間の短縮、軽負荷による滑りの損傷、摩擦発熱等の破損解決に有用な焼成珪藻土粒子含有グリースは、主軸、関連軸装置の転がり軸受けの装置に用いられる。【選択図】なし【特許請求の範囲】
【請求項１】
グリース全体に対して無機質焼成珪藻土粒子に１から１０重量％含まれる転がり軸受けに配合を有せしめたことを特徴とする。
【請求項２】
上記グリース組成物成形体物質は、外部からの損傷、耐熱、耐磨耗性、熱分解の転がり軸受け対応効果を特徴とする。
【請求項３】
転がり軸受けグリースに焼成珪藻土粒子を含有とした組成物を成形体とし、グリース構造体又はそれらを複数の組み合わせ転がり軸受け構造体の向上を可能とする。
【請求項４】
上記の趣旨を逸脱しない範囲の変更は本発明に含まれる。
【発明の詳細な説明】
【技術分野】
【０００１】本発明は、外部環境からの汚水、汚泥等が転がり軸受けへの浸入、高負荷による使用期間の短縮、軽負荷による滑りの損傷、摩擦熱を生じる問題が起きている。
【背景技術】
【０００２】従来の軸受けグリースは、汚泥、汚水の環境に曝されている。また、高負荷により使用期間が短縮され、軽負荷は滑りが発生し装置の損傷、磨耗発熱等の発生により潤滑剤の劣化を招き、転がり軸受けの長期性能の維持困難から早期の破損を危惧している。潤滑剤の劣化からの回転トルクの大きさから車両燃費低下、二酸化炭素削減の課題を残している。
【発明の開示】
【発明が解決しようとする課題】
【０００３】本発明における課題は、各種機械のグリースを高性能化することにより、転がり軸受けの長期にわたる摩擦発熱による劣化防止と簡易で安価なグリースの提供を目的とする。
【課題を解決するための手段】
【０００４】本発明は、既にある機械のグリースに無機質の焼成珪藻土粒子を化合した化合物である事を特徴とし、上記目的を達成する。
【発明の効果】
【０００５】本発明の主軸、関連軸装置の転がり軸受け潤滑剤は、汚泥に浸る悪条件な環境下に使用されても密封性を有し、長期間の耐久性に効率、効果機能を備える。【０００６】また、熱分解を防止し耐熱性を向上する無機質焼成珪藻土粒状は、主軸、関連軸装置を含む機械類に汎用性を可能とし、機械の長期使用、機械駆動作業処理を容易にすることから経済効果を生む。【０００７】無機質の焼成珪藻土粒状含有のグリースは、耐熱、耐摩耗性とともに耐久性に優れ、熱分解しにくいため極圧性効果を超時間の耐久ができ長寿命効果効率が発揮できる。【０００８】本発明の転がり受軸の潤滑剤は、既存の主軸、関連軸受け装置機械の汎用装置に使用を可能とし、利用範囲が広い。
【発明を実施するための最良の形態】
【０００９】本発明の実施形態は適用できるグリースを主軸、関連軸装置の転がり軸受けに好ましい焼成珪藻土粒子を化合として用いることが挙げられ、効果、効率的に活用できることを特徴とする。【００１０】上記は、既存の公知なビスマスがグリース全体の０，０１〜１５重量％含まれるグリース封入した転がり軸受け及び複列自動関連ころ軸受けは、荷重及び滑り運動の摩擦防止長期耐久性に優れていることの知見、周知に基づいて本発明に至った。【００１１】上記添加剤のビスマス粉末は、水銀を除く全ての金属中最低の熱伝導度を有し、比重９、８融点２７１、３℃の銀白色硬質金属であり、極圧によっては膜状現象になることから、そのための対策として、グリース中に分散可能とする粒子状物質の焼成珪藻土粒子をグリースに好ましくは１〜１０重量％使用することが好ましい。
１５重量％を超えると回転時のトルクが大きくなり発熱が発生し、回転障害となる。【００１２】本発明の焼成珪藻土粒子は、比重２、２、引火点℃は不燃性、発火点℃は無し、爆発限界％は無し、蒸気圧は無し、溶媒に対する溶解性は水に殆ど不溶、酸性、苛性アルカリに微溶の物理的及び化学的反応を示している。避けるべきは、酸性、苛性アルカリ水溶液物質を特徴とする。【００１３】焼成珪藻土粒状の主成分は、珪酸質で平均粒径０，０５ｍｍの無数の孔があいている多孔質で０，１〜０，２マイクロメートルの超微細孔を有し流体圧縮構造は、形状、強度、素材等実態の状況把握によって対応策を考慮したことを特徴とする。
【産業上の利用可能性】
【００１４】本発明の主軸、関連軸装置の転がり軸受けの潤滑剤は、汎用装置に使用を可能とすることから利用範囲が広く長期間の耐久性に効果、効率が図られ、作業効率、能率向上が発揮される。【００１５】さらに、安価で安心、安全な主軸、関連軸装置の転がり軸受けグリースを提供し、産業の育成に貢献できる。
(57)【要約】【課題】  木造軸組みの木材（５）が乾燥により痩せても、ボルト（４）に締め付けられて楕円形に変形した弾力性に富む拡張座金（１）が、木材（５）の痩せに応じた確実なボルト（４）の締め付けを提供する。【解決手段】  高炭素鋼板、ステンレス鋼板など弾力性に富む素材で作られた、パイプ状の拡張座金（１）を楕円形とした場合に生じる側面２箇所にボルト穴（６）を設けた。ボルト締め後に木材（５）の痩せにより生じるボルト（４）の緩みに応じ、弾力性に富む拡張座金（１）が、緩み特有のガタつきをなくし、締め付けを維持することを特徴とする。【選択図】図１
2011112218.tif 000002
【特許請求の範囲】
【請求項１】
高炭素鋼板、ステンレス鋼板など弾力性に富む素材で作られた、パイプ状の拡張座金（１）を楕円形とした場合に生じる側面２箇所にボルト穴（６）を設けた、ボルト締め後に木材の痩せにより生じるボルト（４）の緩みに応じ、緩み特有のガタつきをなくし、締め付けを維持する拡張座金。
【発明の詳細な説明】
【技術分野】
【０００１】  本発明は、木造構造物の木材の痩せによる、ボルト締めの緩みを防止するための拡張座金に関するものである。
【背景技術】
【０００２】  従来座金には、平座金、バネ座金、波型座金などボルトやナットの座面陥没防止、座面安定、振動などによる微細なボルトの緩みを防止するものは多々ある。また、木造構造物の痩せによるボルトの緩みを防止するとした、ラグスクリュウ螺旋ボルト、ラグスクリュウナットにＴ型座金、Ｌ型座金を併用したものがある。（特許文献１参照。）。
【先行技術文献】
【特許文献】
【０００３】
【特許文献１】  特開２００５−１４６８１９号  公報
【発明の概要】
【発明が解決しようとする課題】
【０００４】  従来、木造住宅など木造構造物の軸組みのボルト締めは、施工時に十分締めても年月の経過と共に乾燥により木材が痩せ、ボルトが緩み、強度的な問題を生じる。現在ボルトの緩みを防止するための座金は何種類もあるが、何れも僅かな緩みにしか対応できない。また、前述のＴ型座金、Ｌ型座金は使用箇所により座金の型を選択・加工し、更に、木材の厚みに応じてボルトの長さも選択しないとラグスクリュウナットが使えないため、手間が掛かり、コストもかさむ。
本発明は、この欠点を解決するためになされたものである。
【課題を解決するための手段】
【０００５】  高炭素鋼板、ステンレス鋼板など弾力性に富む素材で作られた、パイプ状の拡張座金（１）を楕円形とした場合に生じる側面２箇所にボルト穴（６）を設ける。
本発明は、以上の構成よりなる拡張座金である。
【発明の効果】
【０００６】  本発明の拡張座金は、木造住宅など木造構造物のボルト締め部分の木材が痩せるのに反比例して、ボルトに対し９０度方向に反発力が伝わり締め付けていくため、大きな痩せに対してもボルトの緩みに応じた締め付けを保ち、木造構造物の強度を維持することができる。また、使用方法も簡単で、構造も単純であり規格化が容易にできる。
【図面の簡単な説明】
【０００７】
【図１】  本発明の拡張座金の使用状態をあらわした斜視図
【図２】  本発明の拡張座金をセットした断面図
【図３】  本発明の拡張座金を使用したボルト締め完了時の断面図
【図４】  本発明の拡張座金の斜視図
【図５】  本発明の拡張座金の側面図
【発明を実施するための形態】
【０００８】  以下、本発明の実施例について説明する。
高炭素鋼板、ステンレス鋼板など弾力性に富む素材で作られた、パイプ状の拡張座金（１）を楕円形とした場合に生じる側面２箇所にボルト穴（６）を設ける。
本発明は、以上のような構造でこれを使用するときは、図２のようにボルト（４）に拡張座金（１）、平座金（２）を差し込み、図３のようにナット（３）を締め付ける。
乾燥により木材（５）が痩せると、楕円形に変形した高炭素鋼板、ステンレス鋼板などを素材とする弾力性に富んだ拡張座金（１）が、木材の痩せにより生じるボルトの緩みに応じ、円形に戻ろうとしてボルト（４）を締め付け、ボルト（４）の緩み特有のガタつきをなくし、締め付けを維持する。
【符号の説明】
【０００９】１．拡張座金      ２．平座金      ３．ナット      ４．ボルト
５．木材          ６．ボルト穴
【図１】
2011112218.tif 000003
【図２】
2011112218.tif 000004
【図３】
2011112218.tif 000005
【図４】
2011112218.tif 000006
【図５】
2011112218.tif 000007
(57)【要約】【課題】本発明は、英語などの外国語の学習、習得において、アクセントやイントネーションなどを簡単に覚えられるための装置を提供する。【手段】フィードバック装置本体に耳あて部と、口あて部とをつなぐサイズ調整用の伸縮自在な蛇腹部を設ける。【選択図】図1
2011112671.tif 000002
【特許請求の範囲】
【請求項１】
耳あて部と口あて部とを有し、それらの距離間を調節できる伸縮自在な蛇腹部を
設けた自分自身の声のフィードバック装置。
【請求項２】
前記装置を頭部へと保持するために、曲げ戻し自在な形態記憶バネの保持アームを
設けた自分自身の声のフィードバック装置。
【発明の詳細な説明】
【技術分野】
【０００１】
本発明は、英語などの外国語の学習、習得を補助するために、自分自身の声を
片耳へとダイレクトに伝達するための伸縮自在な声のフィードバック装置に関するも
のである。
【背景技術】
【０００２】
従来、英語などの外国語を学習、習得する際には、まず、必ず目で文章を読む
と同時に、手本の発声を一度聞いてから、再度思い出しながら発声していた。
【先行技術文献】
【特許文献】
【０００３】
【特許文献１】実用新案登録第３０７６２１９号
【発明の概要】
【発明が解決しようとする課題】
【０００４】
従来の学習方法では、必ず手本の発声と、自分自身の発声との聞き取りに時差が生じてしまい、そのため、発声に必要なアクセントやイントネーションなどが十分に習得できずに途中で投げ出すケースが大半であった。
【０００５】
また、人間は無意識の内に、必ず文字を読んでしまう目からの視覚情報が優先されてしまい、そのことにより耳からの聴覚情報の入力が低下することも原因の一つとなっていた。
【０００６】
また、日本人にとってはカタカナ英語などの複合的な問題も重なり、多くの問題が未解決のままとなっていた。本発明は、以上の問題点を解決し、英語などの外国語の学習、習得の向上のためになされたものである。
【課題を解決するための手段】
【０００７】
フィードバック装置本体に耳あて部と、口あて部とをつなぐサイズ調整用の伸縮自
在な蛇腹部を設ける。
本発明は、以上の構成からなる自分自身の声を片耳へと伝達するための自分自身
声のフィードバック装置である。
【発明の効果】
【０００８】
本発明を使用することで、自分自身の発声は左耳だけにフィードバックされて聞こえる。
本発明からの自分自身の声の音量に合わせて、音量調整をしたパソコンやゲー
ム機、携帯電話などのハードウェアからのスピーカーや、イヤホン、ブルートゥスなど
から出力された手本の発声は右耳だけに、同時に、同音量で聞こえることによって、
脳のミラーニューロン（物まね機能)の作用より、手本の発声のアクセントやイント
ネーションなどを簡単に学習、習得することが可能となる。
【図面の簡単な説明】
【０００９】
【図１】本発明の側面図
【図２】本発明の形状記憶バネの頭部保持アームを設けた斜視図
【図３】本発明を装着した状態の想定図
【発明を実施するための形態】
【００１０】
以下、本発明の実施の形態を説明する。
（イ)軟質樹脂からなるフィードバック装置本体（1)に、口あて部（2)と耳あて部
（3)を設ける。
（ロ)フィードバック装置本体（1)にサイズ調整用の伸縮自在な蛇腹部（4)を
設ける。
（ハ)フィードバック装置本体（1)を頭部に保持するために、曲げ戻し自在な形状
記憶バネの頭部保持アーム（5)を設ける。
本発明は以上の構成よりなる。
本発明を使用する場合は、フィードバック装置本体（1)の伸縮自在な蛇腹部（5)を
使用者の顔のサイズに合わせて調整し、口あて部（2)及び耳あて部（3)とを使用者
の顔に合わせて左側へと装着する。
【実施例】
【００１１】
本発明のフィードバック装置の口あて部（2)より、耳あて部（3)への左耳へと聞こえ
る自分自身の発声の音量に合わせて、右耳へと聞こえるパソコンなどからのハード
ウェアから出力される手本の発声の音量調整をし、左右を平均バランスにする。
それにより、本発明のからの自分自身の発声はフィードバックされて左耳から右脳
へと入力され、ハードウェアからの手本の発声は右耳から左脳へと同時入力される。
【産業上の利用可能性】
【００１２】
従って本発明を使い、ハードウェアからの手本の発声と同時に発声することより、
脳のミラーニューロン（物真似機能)の働きによって、手本の発声のアクセントやイン
トネーションなどを簡単に学習、習得することが可能となる。
【符号の説明】
【００１３】
（１）フィードバック装置本体、（２）口あて部、（３）耳あて部、（４）伸縮自在なサイズ調整用蛇腹部、（５）形態記憶バネの頭部保持アーム
【図１】
2011112671.tif 000003
【図２】
2011112671.tif 000004
【図３】
2011112671.tif 000005
(57)【要約】【課題】  二極接地極付コンセント（通常のコンセントにアース用の為１つ穴が多いもの）がコンピューター等ディジタル機器が多くつかわれる中多用される様になった。不要な電磁ノイズを防止するため、精密機器が使用される病院では必須となっている。また「内線規定」が改訂され、台所、洗面所、トイレなど水まわりには設置が義務づけられた。二極接地極付コンセントを測定する際、通常の二極コンセントでは一度で済むが二極接地極付コンセントは三極であり組合せが三つあり間違い無く測定記録せねばならない。また設置場所により測定の際困難を覚える箇所では測定端子の接触が安定せず手間取ることがある。【解決手段】  ロータリースイッチを使い三極三つの組合せを二極三つの組合せに変換し合わせて測定端子の接触の不安定さの解決に二極接地極付差込プラグを測定端子として利用することで解決するものとする。【選択図】図１
2011112637.tif 000002
【特許請求の範囲】
【請求項１】
二極接地極付コンセントの電圧測定する際の三極三つの組合せを二極三つの組合せに変換する際ロータリースイッチを使うことと測定端子部位に二極接地極付差込プラグを使う電圧測定器。
【発明の詳細な説明】
【技術分野】
【０００１】本発明は、電気設備工事、保守点検の際、二極接地極付コンセントの電圧測定を確実かつ素早く行うための測定器具に関する。
【背景技術】
【０００２】現在、電圧測定器具は二本の測定端子を使う物のみで測定の際それぞれ端子を測定部に接触させて行っている。また、接続が正しく行われていることを確認するためＬＥＤを利用した検査器具がある。【０００３】  三相３線式、単相３線式各回路の線間電圧を切換えて測定する電圧切換スイッチ（ＶＳ）があるが回路が異なり、また使用目的も別物である。
【発明の概要】
【発明が解決しようとする課題】
【０００４】  測定する端子が三極に増え、故に測定電圧の組合せが三つあり現場作業中に混同することがままあり、また、電圧測定器具の測定端子が測定部への接触の不安定さで正確な測定のために時間がかかり、また測定が容易には行えない場所に設置されたコンセントの測定部への接触が安定するのに手間がかかることもある。
【問題を解決するための手段】
【０００５】  測定対象の端子が三極あり場合の組合せが三つあるものをロータリースイッチを使い三極三つの組合せをツマミを捻ることにより二極三つの組合せに変換し既存の電圧測定器に送るものとする。また、ロータリースイッチへは二極接地極付差込プラグから配線しかつ二極接地極付差込プラグを当該測定二極接地極付コンセントに差し込み電圧測定器と測定部の接触を確実たらしめんとする。
【発明の効果】
【０００６】  上述したように測定端子を二極接地極付差込プラグとしたため測定部位との接触が確実に成りまた、組合せの度に三回接触せねばならないものが一回でも済むことに成る。故に測定困難部位に設置されたものも容易に測定可能となる、測定の組合せの混同もツマミを一定方向に回すことで計測するので混同を防ぐことが出来る。
【図面の簡単な説明】
【０００７】
【図１】  本発明の回路図
【発明を実施するための形態】
【０００８】  図においては、（イ）は二極接地極付差込プラグを表す。
（ロ）は３回路３接点のロータリースイッチを表す。
（ハ）は電圧測定器を表す。
【０００９】  以下、上記構成の動作を説明する。二極接地極付差込プラグを測定する二極接地極付コンセントに差し込み電圧測定器の表示値を読む。次にロータリースイッチのツマミを捻り再び電圧測定値の値を読む。さらにロータリースイッチのツマミを捻り測定器の値を読む。以上で三つの組合せの測定は終わる。二極接地極付差込プラグを測定端子として利用したことにより端子間の接触の安定が図られる、又、ロータリースイッチとの組み合わせで測定部へ測定端子を接触させることも一度で済み、作業が容易になる。また組み合わせを変える際一定方向にロータリースイッチのツマミを回すことにより順序組合せを間違うことの防止につながる。
【符号の説明】（イ）二極接地極付差込プラグ
（ロ）３回路３接点ロータリースイッチ
（ハ）電圧計
【図１】
2011112637.tif 000003
(57)【要約】      （修正有）【課題】素材表面等の穴欠陥深さ測定において、穴上面の位置を容易にかつ小形の道具で求める測定器を提供する。【解決手段】穴周辺の健全な円筒面を利用し、欠陥部については穴がない場合に存在する部分的円筒面上にある任意の点を穴上点とし、当該点を通る円弧上にて、同点から等距離にある二点で円筒面に接する二個の磁石４と、二本のピン１１を有する蝶番１とからなる機構を利用し、蝶番１中央下部に蝶番１から一定距離を尺３の先端で穴上点と決める。【選択図】図１
2011112608.tif 000002
【特許請求の範囲】
【請求項１】
二個のピン（１１）を持つ蝶番（１）において、その中央上部に本体（２）を、また、両側下部に磁石（４）を取り付け、本体（２）、二個の磁石（４）と二個のピン（１１）は、平面的に一直線上で等間隔に配置し、本体（２）の中央を貫通して、蝶番（１）に垂直に滑動する尺（３）を組み合わせたもので、鋳物等の表面の穴欠陥深さを、尺（３）の移動量で読み取る以上の構成からなる素材小欠陥深さ測定器
【発明の詳細な説明】
【技術分野】
【０００１】
本考案は、鋳造品等の素材表面に点在する小形の穴欠陥（くぼみ）の深さを測る測定器である。          
【背景技術】
【０００２】
鋳造品等の素材では、測定の基準位置の決定が難しく、また、欠陥が小形で形状が不規則であるところから、その深さ測定は、困難か、時間がかかる。
【発明の概要】
【発明が解決しようとする課題】
【０００３】
穴欠陥の上部には、欠陥がない場合の健全な面（以降、これを健全面と呼ぶ）が存在しないので、通常の測り方が出来ない。そこで、本考案では蝶番や磁石等を組み合わせた機構を用いて健全面の位置を容易に決めようとするものである。
【課題を解決するための手段】
【０００４】
被測定体の形状は、千差万別であるが、欠陥の近辺では一般に円筒面（半径を無限大にした平面を含む）が考えられる。そこで、欠陥の近くで、健全な円筒面で検討すると、その円筒面の中心軸の垂直面との交線は、円（または直線）となる。
【０００５】
本案の構成要素は、図２のように、次のような特性を持っている。
磁石４と尺３の中心線は、一平面上にある。近くにあるピン１１から磁石４又は尺３までの距離は、同一である。尺３は、蝶番１の板に垂直に動く。
長さａ＝長さｂ＝長さｃ＝長さｄ
【０００６】
磁石は円柱状で、両端面は中心線に垂直とする。この端面を被測定体に置くと、その
磁力により端面の直径で被測定体の円筒面と接する。図３参照。
従って、磁石の中心線は、被測定体円筒面の中心軸線に交わる。
【０００７】
もし、二個の磁石と尺の各軸を含む平面を、円筒面の中心線に垂直になるように配置して接触させると、磁石の下端面中心と尺の先端の三点は、同一円上に並ぶ。この時、蝶番から下の尺の長さは、磁石の高さと同じになる。図４と図６を参照のこと。
ここで、蝶番の板厚を０として説明する。各記号は次の点を指す。図５を参照。
Ｏ：円筒断面の作る円の中心
Ｍ：磁石の上端面中心
Ｎ：磁石の下端面中心（磁石と円筒面の接点）
Ｐ：蝶番のピンの中心
Ｃ：尺軸心の、蝶番の高さ位置
Ｓ：尺と円筒の接点
【０００８】
設定条件から明らかなことは、次のことである。
長さＯＮ  ＝  長さＯＳ  （半径）
角ＰＭＮ  ＝  角ＰＣＳ  （直角）
長さＰＭ  ＝  長さＰＣ  （０００５）  
ここで、三角形ＰＭＯと三角形ＰＣＯを対比すると、いずれも直角三角形であり、長
さＰＯは共通、長さＰＭ＝長さＰＣであるからピタゴラスの定理より、長さＭＯ＝長さＣＯとなる。また、長さＯＮ＝長さＯＳであるから、長さＭＮ＝長さＣＳとなる。
即ち、被測定体面の曲率半径の値に係らず、蝶番から下の尺の長さは一定になる。
【０００９】
本考案の測定器を鉄平面上に固定し、その時の、本体に対する尺の位置を基準点（深  さ０）として設定した測定器を、欠陥が有る鋳物等表面に、図６のように磁石を吸着させると、尺の下端は、その欠陥部の健全面（０００３参照）の位置に相当する。
欠陥の深さは、尺の下端を欠陥の底に当てれば、深さに応じた尺の動きがあるので、その目盛を読めばよい。
【００１０】
先ず、本考案によれば、一般的に、測定動作が次にように便利になる。
目盛の基準点を測定に度に補正する必要がない。
磁力の吸着により、測定器を押さえる必要がない。
測定のための動作が簡単である。
【００１１】
鋳物等の欠陥深さの測定は、手早く行う道具が無いため、通常は人間による目視測定であり、不正確と言える。
製品の欠陥について、許容値を超えたものを出荷すれば、次工程で無駄を発生し、許容値以下のものを不合格とすれば、これも不経済となる。本考案の利用により、測定の精度が上がれば、無駄が防止出来る。
【発明を実施するための形態】
【００１２】
本考案の使用対象は、鋳造品や鍛造品などの小欠陥深さであるから、測定範囲は、数ミリメ−トルとする。磁石と尺の間隔は、なるべく狭める。被測定体は、鉄系金属なので、尺の下端が磨耗する。従って、先端の針状部分は、硬い材料で、交換できる構造とする。
上記の針先が穴底に当たっていることを確認しやすくするために、磁石の高さを適度にとり、蝶番の幅（ピンの長さ方向）を縮めるとよい。
【実施例】
【００１３】
以下の数値は、長さを示し、単位はミリメ−トル。
磁石  ：  直径１０、高さ６
磁石とピンの距離  ：  ８
測定範囲  ：  ５
測定例        円筒断面の半径        欠陥深さ
鋳物          ３５                ０．６
鋳物          ６２                １．５
【図面の簡単な説明】
【００１４】
【図１】測定器の全体図である
【図２】蝶番の部品と付着品の位置関係を示す
【図３】磁石の接着状態を示す
【図４】測定器の三点接触状態図である
【図５】幾何学的説明図である
【図６】円筒面と測定器の接点の配置を示す
【符号の説明】
【００１５】
１  蝶番
２  本体
３  尺
４  磁石
１１  ピン
１２  ビス
【図１】
2011112608.tif 000003
【図２】
2011112608.tif 000004
【図３】
2011112608.tif 000005
【図４】
2011112608.tif 000006
【図５】
2011112608.tif 000007
【図６】
2011112608.tif 000008
(57)【要約】【課題】錘と滑車の原理を利用し電力を供給する。【解決手段】電力を使用する場所で電力を生産する。【選択図】図１
2011112042.tif 000002
【特許請求の範囲】
【請求項１】
滑車の大きさ（大・中・小）を輪に固定させ錘の重力により  永久的に回転運動を続けさせ発電機により電気を作り出します。
【発明の詳細な説明】
【技術分野】
【０００１】滑車の原理と  錘の移動・重力による永久発電
【発明の開示】
【発明が解決しょうとする課題】
【０００２】滑車の原理と  錘の移動及び重力を利用し軸を回転させる。
【課題を解決するための手段】
【０００３】滑車の原理  錘の重力の利用
【発明の効果】
【０００４】外部の力を一切使わず電力を供給できる。
【発明を実施するための最良の形態】
【０００５】地球の化石燃料使用せず  図１・図２  錘による
地球の重力・滑車の原理を利用してエネレギーを確保する。
【産業上の利用可能性】
【０００６】住宅敷地内に永久発電装置を設置し各家庭独自で電力を供給する。又共同住宅〈マンション〉では、共有敷地内でこの永久発電装置を設置し各家庭に電力を供給する。
そして、生産工場では工場使用電力の供給にも永久発電装置を設置し生産電力を独自で賄います。
【図面の簡単な説明】
【０００７】
【図１】  本発明装置図
【図２】  本発明装置図
【符号の説明】
【０００８】    １  …  軸
２  …  小  滑車
３  …  中  滑車
４  …  大  滑車
５  …  歯車
６  …  移動滑車
７  …  中  滑車錘
８  …  大・小  滑車錘
９  …  錘  器
１０  …  ストッパー
１１  …  移動滑車用モーター
１２  …  発電機
１３  …  蓄電器
１４  …  電球
１５  …  ワイヤー
１６  …  軸  受
１７  …  ガイドレール（移動滑車用）
【図１】
2011112042.tif 000003
【図２】
2011112042.tif 000004
(57)【要約】【課題】従来、鍋などの調理器具に用いられる落とし蓋には、金属や木製の物、樹脂製の物や使い捨ての紙製の物などがあったが、使い捨てでない落とし蓋であって、洗いやすく清潔にかつ使いやすく、パーツ数も少なく、さらに製造も容易な落とし蓋は存在しなかった。【解決手段】上記の問題を解決するため、本発明は薄い軟質素材で落とし蓋の蓋板を作り、その蓋板の中央に設けた突起部にリングを通して蓋板１を絞ることにより、洗いやすい単一の蓋板でありながら鍋の大きさに合わせて大きさを変えることが可能であり、またパーツ数が少なく製造も容易な落とし蓋を提供可能とした。また、蓋板か突起部にリングを繋ぐリング保持部を設けてそれらを一体成形することにより、より使いやすく洗いやすく、作りやすい落とし蓋を提供可能とした。 【選択図】図２
2011097968.tif 000002
【特許請求の範囲】
【請求項１】
軟質素材で成形された蓋板の中央に突起部を備え、蓋板より十分小さく突起部より十分大きいリングを用い、リングを突起部に通して蓋板を絞ることで蓋板の大きさを調整出来ることを特徴とした落とし蓋。
【請求項２】
請求項１記載の落とし蓋において、蓋板又は突起部に、一端にリングを結合させたヒモ、もしくは帯状のリング保持部を備えてなることを特徴とした落とし蓋。
【請求項３】
請求項２記載の落とし蓋において、蓋板、突起部、リングおよびリング保持部が一体に成形されていることを特徴とした落とし蓋。
【発明の詳細な説明】
【技術分野】
【０００１】
本発明は、鍋などの調理器具に用いる落とし蓋に関する。
【背景技術】
【０００２】
従来、落とし蓋には木製や金属製、樹脂製、紙製などのものがあった。
【０００３】
その中には鍋などの大きさに合わせて落とし蓋の大きさを変えられるものもあり、金属や硬質な樹脂によって作られた扇状のパーツを組み合わせることで大きさを変えることを可能にしていた。
【０００４】
そうしたパーツの組み合わせからなる落とし蓋はパーツの重なる部分に汚れが溜まることがあり、そのため落とし蓋の分解を容易にして洗いやすくしたものもあった。
【０００５】
また、紙製の落とし蓋には外周を切り取ることで鍋の大きさに合わせるというものもあった。こうした紙製の落とし蓋は使い捨てであった。
【特許文献１】特開２００８−２７９２１７
【特許文献２】特開２００５−２５３９３９
【特許文献３】実用新案登録３１４２８３０号
【発明の開示】
【発明が解決しようとする課題】
【０００６】
本発明が解決しようとする課題は、鍋の大きさにあわせて大きさを変えることが可能であり、同時にパーツ数が少なくて使いやすく、洗いやすく清潔な落とし蓋を提供することである。
【課題を解決するための手段】
【０００７】
上記の課題を解決するため、本発明では薄い軟質素材で落とし蓋の蓋板を作り、その中央に突起部を備え、蓋板より十分小さく突起部より十分大きいリングを用いる。
【０００８】
また、蓋板又は突起部にリングを繋ぐヒモ、もしくは帯状のリング保持部を設ける。
【０００９】
また、蓋板、突起部、保持部およびリングを一体成形もできる。
【発明の効果】
【００１０】
本発明の落とし蓋は突起部を通すようにリングを蓋板に乗せ、突起部を引いて蓋板を絞ることで単一の蓋板でありながら落とし蓋の大きさを調節出来る。
【００１１】
また、蓋板又は突起部にリングを繋ぐヒモ、もしくは帯状のリング保持部を設けることにより、リングを無くす可能性がなくなりさらに使いやすくなる。
【００１２】
また、蓋板、突起部、リング保持部およびリングを一体成形にすることにより、より洗いやすくなる。
【発明を実施するための最良の形態】
【００１３】
以下、本発明を実施するための最良の形態を図１、図２、図３に基づいて説明する。
【００１４】
図１は本発明に掛かる落とし蓋の図であり、図２はリング３を突起部２に通して蓋板１に乗せた状態を示し、図３は突起部２を引いて蓋板１を絞った状態を示す。
【００１５】
蓋板１は耐熱のシリコン樹脂等の柔軟性に優れた軟質素材で作られており、突起部２、リング３、蓋板１の外周の一部より伸びるリング保持部４も同様の素材で一体に成形されている。突起部２には蓋板１を絞らずに使用する時にリング３を引っかけておくための突起が設けられている。
【００１６】
蓋板１を絞って使用する場合図３のような状態で鍋などに入った材料の上に乗せられることになる。この時、突起部２の位置が高くなるため、突起部２を摘んで蓋を外すことは容易であるし、リング保持部４をお玉や菜箸で引っかけて持ち上げることも可能である。蓋板１をより確実に材料の上に広げるため、リング３の内部に金属などの重りとなる物を入れても良い。
【００１７】
使用後はリング３を突起部２から外す事により、図１の平坦な状態に戻して洗うことが出来る。この時は全体が平坦であるため洗いやすく、リング３をフックなどに引っかけて落とし蓋を釣るし、干すことも容易であり清潔である。
【実施例１】
【００１８】
図４は突起部２の先端にリング保持部４を設けた、本発明の実施例の図である。
【００１９】
この場合、リング３の内側にリング保持部４を通す形で図４にあるような落とし蓋として使用できる状態になり、その逆の動作を行うことで洗いやすい状態になる。
【実施例２】
【００２０】
図５はリング保持部４を設けずリング３が独立している本発明の落とし蓋の実施例の図である。
【００２１】
この場合、リング３を金属のような重量のあるものにすることが容易であり、絞って蓋板１を小さくして用いる場合、蓋板１が確実に材料の上に伸びるようにしやすい。
【００２２】
また、突起部２の上部にはリング３が外れないように左右に張り出す突起がある。この時突起部２は別の素材で作って取り付けても良いが、蓋板１と同じ柔軟な素材で一体成形している場合、突起を曲げてリング３を取りだし、分けて洗うことが可能である。
【産業上の利用可能性】
【００２３】
本発明は、鍋の大きさにあわせて大きさを変えることが可能であり、同時にパーツ数が少なくて使いやすく、洗いやすく清潔な落とし蓋を提供することを可能とする。
【図面の簡単な説明】
【００２４】
【図１】本発明を実施するための最良の形態に掛かる、蓋板１と突起部２、リング３、蓋板１の外周の一部より伸びるリング保持部４が一体に成形された本発明の落とし蓋の斜視図。
【図２】図１の落とし蓋において、リング３を突起部２に通して蓋板１に乗せた本発明の落とし蓋の斜視図。
【図３】図２の落とし蓋において、突起部２を引いて蓋板１を絞った本発明の落とし蓋の斜視図。
【図４】本発明の実施例１に掛かる、突起部２の先端にリング保持部４が設けられた本発明の落とし蓋の斜視図。
【図５】本発明の実施例２に掛かる、リング保持部４を設けずリング３が独立している本発明の落とし蓋の斜視図。
【符号の説明】
【００２５】
１  蓋板
２  突起部
３  リング
４  リング保持部
【図１】
2011097968.tif 000003
【図２】
2011097968.tif 000004
【図３】
2011097968.tif 000005
【図４】
2011097968.tif 000006
【図５】
2011097968.tif 000007
(57)【要約】【課題】調味漬け食品の歩留りを向上させること。【解決手段】水に濃度１．５％で溶解したときのゼリー強度が３０〜５５０ｇ／ｃｍ２の寒天を０．０３５〜０．３５％の濃度で添加した調味液に、漬け込み対象となる食品（イクラを除く。）を所定時間浸漬すること。【特許請求の範囲】
【請求項１】
水に濃度１．５％で溶解したときのゼリー強度が３０〜５５０ｇ／ｃｍ２の寒天を０．０３５〜０．３５％の濃度で添加した調味液に、漬け込み対象となる食品（イクラを除く。）を所定時間浸漬することを特徴とする調味漬け食品の歩留り向上方法。
【発明の詳細な説明】
【技術分野】
【０００１】  本発明は、調味漬け食品の歩留り向上方法に関するものである。
【背景技術】
【０００２】  調味漬け食品の代表的なものとしては、醤油漬けイクラがある。これは、原卵に、醤油、酒、みりん、グルタミン酸ナトリウム等のアミノ酸の配合された調味液に漬けられたものである。【０００３】  この醤油漬けイクラの歩留りを向上する方法として、本出願人はすでにその技術を特願２００８−３１１６００として提案している（平成２０年１１月１０日出願）。
【先行技術文献】
【０００４】
【特許文献１】特願２００８−３１１６００
【発明の概要】
【発明が解決しようとする課題】
【０００６】  上記特許文献１は、イクラだけに関する歩留り向上方法の技術であり、その他の調味漬け食品には適用されない限定技術であった。
【課題を解決するための手段】
【０００７】  本発明は、すでに提案した醤油漬けイクラの歩留まり向上方法（特願２００８−３１１６００）がイクラ以外の調味漬け食品にも利用できないかを検討したところ、それらにも利用可能であることを見出し、完成されたものである。【０００８】  すなわち本発明は、水に濃度１．５％で溶解したときのゼリー強度が３０〜５５０ｇ／ｃｍ２の寒天を０．０３５〜０．３５％の濃度で添加した調味液に、漬け込み対象となる食品（イクラを除く。）を所定時間浸漬することを特徴とする調味漬け食品の歩留り向上方法である。
【発明の効果】
【０００９】  本発明方法によると、特定の性状での寒天が調味漬け食品（イクラを除く。）をコーティングすることでそれらの歩留まりを向上させることができた。
【発明を実施するための最良の形態】
【００１０】  本発明の対象となる調味漬け食品の食材としては、イカそうめん、飛卵及び中華クラゲが好ましい。
また、使用する寒天の基本物性としては、水に１．５％濃度で溶解したときのゼリー強度（日寒水式）が３０〜５５０ｇ／ｃｍ２のものが好ましい。【００１１】  調味液は、イカそうめんにおいては、みりん、アミノ酸及び水を所定の割合で調合したものが用いられ、イカ１００重量部に対して１００重量部とする。そして、この配合量での調味液中の寒天は、その質量が０．０７〜０．３５％の範囲で使用されることが好ましい。
飛卵においては、醤油、みりん、アミノ酸、食塩及び水を所定の割合で調合したものが用いられ、飛卵１００重量部に対して調味液２００重量部とする。そして、この配合での調味液中の寒天は、その質量が０．０３５〜０．３５％の範囲で使用されることが好ましい。
さらに中華クラゲにおいては、甘味料、核酸系調味料、アミノ酸、酵母エキス、白ゴマ、唐辛子、胡麻油及び水を所定の割合で調合したものが用いられ、クラゲ１００重量部に対して調味液１６重量部とする。そして、この配合量での調味液中の寒天は、その質量が０．１３〜０．２６％の範囲で使用されることが好ましい。
【実施例】
【００１２】  以下、実施例によって本発明方法を説明するが、本発明の技術的範囲はこれによって限定されるものではない。【００１３】「実施例１」
原料スルメいかをイカそうめん状に細断し、食塩を用いてイカ表面に付着しているヌメリを取り除いた。出来上がったイカそうめんを表１の調味料にイカ１００重量部に対して調味液１００重量部となるように一晩浸漬した。調味液へは前述の寒天を０．０７％、０．１７５％、０．３５％それぞれ溶解している。その際、８０℃で１５分加熱溶解して８℃まで冷却したものを寒天添加調味液としている。一晩浸漬した調味漬けイカそうめんを、ザルを用いて１時間の水切りを行い、イカの重量を測定した。調味漬け前重量と一晩調味漬け水切り後重量から各々歩留りを算出した（表２）。【００１４】
【表１】
2011097913.tif 000002
【００１５】
【表２】
2011097913.tif 000003
2011097913.tif 000004
【００１６】「実施例２」
原料塩蔵飛卵（バラ卵）を解凍し、流水で３時間脱塩を行った後、３分間遠心脱水を行った。脱水した飛卵を表３の調味液に飛卵１００重量部に対して調味液２００重量部となるように一晩浸漬した。調味液へは前述の寒天を０．０３５％、０．０７％、０．２１％、０．３５％でそれぞれ溶解している。その際、８０℃で１５分加熱溶解して８℃まで冷却したものを寒天添加調味液としている。一晩浸漬した調味漬け飛卵を、ザルを用いて１時間の水切りを行い、飛卵の重量を測定した。調味漬け前重量と一晩調味漬け水切り後重量から各々歩留りを算出した（表４）。【００１７】
【表３】
2011097913.tif 000005
【００１８】
【表４】
2011097913.tif 000006
【００１９】「実施例３」
原料クラゲを流水で一晩脱塩を行った後、ザルを用いて１時間水切りを行い下漬け調味液（表５）へ一晩浸漬した。下漬け後のクラゲを、ザルを用いて１時間水切りし、表６の調味液にクラゲ１００重量部に対して調味液１６重量部となるように一晩浸漬した。調味液へは前述の寒天０．１３％、０．２６％でそれぞれ溶解している。その際、８０℃で１５分加熱溶解して８℃まで冷却したものを寒天添加調味液としている。一晩浸漬した調味漬けクラゲをザルを用いて１時間の水切りを行い、クラゲの重量を測定した。調味漬け前重量と一晩調味漬け水切り後重量から各々歩留りを算出した（表７）。【００２０】
【表５】
2011097913.tif 000007
【００２１】
【表６】
2011097913.tif 000008
【００２２】
【表７】
2011097913.tif 000009
【産業上の利用可能性】
【００２３】  調味液漬けに適した食品であれば、上記以外の食品、例えばシシャモ卵、数の子卵、チョウザメ卵（キャビア）等にも利用可能である。
(57)【要約】【課題】煙草の吸い過ぎ防止のために時間開閉煙草ケースを提供する【解決手段】１に２を取り付けることによって、ケースを閉めたら設定した時間を過ぎないと開かないようにする【選択図】図１
2011097915.tif 000002
【特許請求の範囲】
【請求項１】
煙草のケースにケースを閉めたら設定した時間がくるまで開かないロック機能を付ける
【発明の詳細な説明】
【技術分野】
【０００１】本発明は、煙草の喫煙を減らすために登録した時間を過ぎないと開いて煙草を取り出せないケースです
【背景技術】
【０００２】従来は、煙草をいつでも取り出せた
【発明の概要】
【発明が解決しようとする課題】
【０００３】いつでも煙草を取り出せると煙草を吸い過ぎてしまう
本発明は、この課題を解消するためになされたものである
【課題を解決するための手段】
【０００４】煙草のケースに時間開閉機能を取り付け、ケースを閉めたら設定した時間を過ぎないとケースが開かないにした
【発明の効果】
【０００５】ケースを閉めたら設定した時間を過ぎないと開かないため、喫煙の量が減る
【図面の簡単な説明】
【０００６】
【図１】本発明の平面図である
【図２】本発明の立体図である
【発明を実施するための形態】
以下、本発明の実施の形態について説明する
［イ］煙草のケースに時間開閉機能を取り付ける
【図１】
2011097915.tif 000003
【図２】
2011097915.tif 000004